(57)【要約】本発明は、Ｍｉｎｉ  ＵＩＣＣカードを備えるカードデバイスを挿入するためのカード接触装置であって、接触子支持体を含み、接触子支持体内に複数の読取り接触子が構成され、読取り接触子が、ばねアームを有し、ばねアームの自由端の近くに配置された接触子隆起部を備えるカード接触装置において、ばねアームに張出部が設けられることを特徴とするカード接触装置に関する。
2014513363.tif 000002
【特許請求の範囲】
【請求項１】
Ｍｉｎｉ  ＵＩＣＣカード（４１）を備えるカードデバイス（４０）を挿入するためのカード接触装置（１）であって、接触子支持体（１０）を含み、前記接触子支持体（１０）内に複数の読取り接触子（２０）が構成され、前記読取り接触子（２０）が、ばねアーム（２５）を有し、ばねアーム（２５）の自由端（２４）の近くに配置された接触子隆起部（２１）を備えるカード接触装置（１）において、前記ばねアーム（２５）に張出部（２２）が設けられることを特徴とするカード接触装置（１）。
【請求項２】
各接触子隆起部（２１）に接触子隆起部中心（２３）が提供され、接触子隆起部中心（２３）と、前記張出部（２２）の端部（２４）との間の距離が、前記カード接触装置（１）内に受け入れるカードデバイス（４０）における、前記カードデバイス（４０）と前記Ｍｉｎｉ  ＵＩＣＣカード（４１）との間の間隙幅Ｓよりも大きいことを特徴とする請求項１に記載のカード接触装置（１）。
【請求項３】
前記ばねアーム（２５）の前記自由端（２４）が、対応する前記接触子隆起部（２２）の前記接触子隆起部中心（２３）よりも高く配置されていることを特徴とする請求項１または２に記載のカード接触装置（１）。
【請求項４】
前記張出部（２２）が、前記張出部（２２）の上面（２６）で、前記ばねアーム（２５）の前記自由端（２４）の近くに、前記カードデバイス（４０）の底面のための規定の摺動面（２７）を備えることを特徴とする請求項１に記載のカード接触装置（１）。
【請求項５】
前記ばねアーム（２５）の湾曲形状が、前記ばねアーム（２５）の自由端（２８）から前記ばねアーム（２５）の自由端（２４）までの推移の中で少なくとも２回変化することを特徴とする請求項１〜４のいずれか一項に記載のカード接触装置（１）。
【請求項６】
前記自由端（２４）で、すなわち前記張出部（２２）の端部で、前記自由端（２４）の底面（２９）に傾斜部（２９ａ）が設けられることを特徴とする請求項１〜５のいずれか一項に記載のカード接触装置（１）。
【発明の詳細な説明】
【技術分野】
【０００１】
本発明は、請求項１の前段によるＭｉｎｉ  ＵＩＣＣカード用のカード接触装置に関する。
【背景技術】
【０００２】
本発明は、特に、Ｍｉｎｉ  ＵＩＣＣカードを備えるカードデバイスを故障なく抜き差しできるように受け入れることができるカード接触装置に関する。
【０００３】
様々なチップカードタイプが市場に出回っており、その中には、長方形状の小さなカードフォーマットである、Ｍｉｎｉ  ＵＩＣＣカードもある。公称フォーマットは、１５ｍｍ×１２ｍｍ×０．７６ｍｍであり、カードの支持体の縁部にある２．５ｍｍサイズの誤挿入防止装置も備える。
【０００４】
市場では、主に３種類のチップカード標準フォーマットがあることを指摘しておく。第１のフォーマットは、実質的に通信操作、認証操作、またはキャッシュディスペンサー操作のためのチップカードに関するＩＳＯ規格７８１６：５４ｍｍ×８５ｍｍ×０．７６ｍｍに従ったフォーマットである。
【０００５】
別のフォーマット、すなわち第２のフォーマットは、いわゆるｐｌｕｇ−ｉｎ  ＵＩＣＣ規格に対応し、この規格は、実質的に、携帯電話、すなわち移動電話、または移動体端末に嵌め込むためのものである。
【０００６】
これらは、カードの支持体の隅に３ｍｍ×３ｍｍサイズの誤挿入防止装置を備える１５ｍｍ×２５ｍｍ×０．７６ｍｍの長方形のカード本体を有する。
【０００７】
第３のフォーマットは、まず最初に上述したフォーマットであって、２００４年以来開発されている技術、すなわちいわゆる第３世代「ｐｌｕｇ  ３Ｇ」のカード、あるいはまたＵＩＣＣ  Ｍｉｎｉカード（Ｍｉｎｉ  ＵＩＣＣカードと呼ぶ）に対応する。
【０００８】
移動電話や携帯電話および他の移動体端末など移動体アプリケーションの分野での端末の小型化傾向に伴って、フォーマットの小型化が進んでいる。
【０００９】
ｐｌｕｇ−ｉｎ  ＵＩＣＣ規格のアダプタの様々な製造法があり、アダプタのフォーマットでの予備打抜き加工により、最初の支持体からフォーマット準拠アダプタがＩＳＯフォーマットで手動で抜き取られる。
【００１０】
基本的に、そのようなｐｌｕｇ−ｉｎ  ＵＩＣＣ規格のアダプタを、以下では、ごく一般的にカードデバイスと呼ぶ。
【００１１】
それに関し、様々な製造法を用いたカードデバイスが市場に登場しており、より小さなＭｉｎｉ  ＵＩＣＣカードは、好ましくは射出成形によって、より大きなカードフォーマットのカードに組み込まれ、予備打抜き加工された縁部で取り囲まれ、したがって、Ｍｉｎｉ  ＵＩＣＣカードは、切り抜くことによってカードデバイスから抜き取ることができる。
【００１２】
ここで、Ｍｉｎｉ  ＵＩＣＣカードのカード本体は、境界間隙と接続ブリッジとを含み、接続ブリッジで、Ｍｉｎｉ  ＵＩＣＣカードがより大きなカードデバイス内に固定されている。
【００１３】
ここで、使用の際、他の読取り装置、特により旧式の読取り装置にも挿入するためにはより大きなカードデバイスが必要であるため、使用者は、より大きなカードデバイスに取り付けられているＭｉｎｉ  ＵＩＣＣカードをそのカードデバイスから切り抜くことを望まない場合には、大きい方のカードフォーマットを使用することができる。
【００１４】
しかしながら、従来技術では、組み込まれているＭｉｎｉ  ＵＩＣＣカードと、それを取り囲むカードデバイスとの間の前述した間隙が、カードアダプタへのカードの差し込みまたはカードアダプタからの引き抜きの際に難点になるという問題がある。
【００１５】
カード接触装置の読取り接触子の接触子隆起部が、カードデバイスの抜き差しの際に完全に破壊されることが起こり得る。
【００１６】
よくある問題は、カード接触装置の読取り接触子の接触子隆起部が、Ｍｉｎｉ  ＵＩＣＣカードとそれを取り囲むカードデバイスとの間に打ち抜かれている間隙に嵌まり込み、カードデバイスをさらに挿入する際、またはそのような位置からカードデバイスを抜き取る際に、読取り接触子が湾曲または破壊され、それにより、読取りデバイス、すなわち例えば携帯電話が使用できなくなることである。
【発明の概要】
【発明が解決しようとする課題】
【００１７】
本発明の目的は、上述した欠点をなくした、上述したようなカードデバイスを受け入れるためのカード接触装置を提供することである。
【００１８】
すなわち、本発明の目的は、カードデバイスにとって安全であり、カードデバイスが壊れないように動作可能な接触装置を提供することである。
【課題を解決するための手段】
【００１９】
この目的は、請求項１に記載の特徴によって解決される。
【００２０】
特別な実施形態は、従属請求項に記載されている。
【００２１】
本発明によれば、この目的は、カードデバイス内部のＭｉｎｉ  ＵＩＣＣカードとの差込み式の接触のために読取り接触子の接触子隆起部に張出部が設けられ、接触装置の読取り接触子の接触子隆起部の接触子隆起部中心から張出部の端部まで測ったときに、張出部が、規格に準拠してカード接触装置に使用可能であるカードデバイスの間隙の間隙幅Ｓよりも大きく構成されるように、読取り接触子を有するカード接触装置を提供することによって解決される。
【００２２】
有利な実施形態では、張出部は、自由なばねアームの端部で、接触子隆起部に直接設けられ、張出部の長さおよび幾何形状は、張出部の上側載置点に、すなわち張出部の上面に、カードデバイスのための摺動面があるようなものである。
【００２３】
同時に、接触子隆起部中心と、張出部の端部にある摺動面との間に、ＵＩＣＣ−Ｍｉｎｉカードを有する規格に準拠したカードデバイスの間隙幅Ｓよりも大きい平面が広がっている。
【００２４】
特別な実施形態では、接触子隆起部または接触子隆起部中心が摺動面よりも高く構成され、それにより、カードの挿入時、まずカード縁部が接触子隆起部を押し下げ、カード接触装置にカードデバイスを挿入する間に、間隙幅Ｓを有する間隙まで達すると、接触子隆起部がその間隙に嵌まり込むことができ、それと共に、張出部の摺動面がカードデバイスの底面に当接する。
【００２５】
これにより、読取り接触子の自由端が間隙内に滑り込むのが防止される。
【００２６】
カードをさらに挿入する際、間隙の縁部が接触子隆起部を越えて摺動し、問題なくカードをその読取り位置に送ることができる。
【００２７】
組み込まれたＭｉｎｉ  ＵＩＣＣカードを有するカードデバイスの抜取りの際には、逆の手順が行われる。
【００２８】
ここでは、カードが縦入れ式であるか横入れ式であるかは重要ではない。なぜなら、基本的には、カードデバイスに関して両方向でＭｉｎｉ  ＵＩＣＣカードのための間隙があり、上述した本発明による解決策が同様に有効であるからである。
【００２９】
したがって、本発明による解決策は、縦入れ式のカード接触装置にも横入れ式のカード接触装置にも提供することができる。
【００３０】
本発明のさらなる特徴および利点は、添付図面を参照する例示的実施形態の以下の例示的な非限定的な説明から明らかになる。
【図面の簡単な説明】
【００３１】
【図１】本発明による接触装置の斜視図である。
【図２】可能な挿入方向での本発明によるカードリーダの前面図である。
【図３】カードデバイスの部分断面と共に、本発明によるカード接触装置の読取り接触子の詳細を示す図である。
【図４】Ｍｉｎｉ  ＵＩＣＣカードを備える例示的なカードデバイスを示す図である。
【発明を実施するための形態】
【００３２】
図１に、６つの読取り接触子２０を備えるカード接触装置１を斜視図で示す。読取り接触子２０は、接触子支持体１０、好ましくは射出成形された接触子支持体１０内に配置される。読取り接触子２０は、ばね接触子として図示されて構成される。ここでは、はんだ接続部１１が、ばね接触子２０を受け入れる接触子フレーム１２の固定端、および反対側の端部に配置される。
【００３３】
接触子は、その固定端２８で、ばね式に接続される。ばね接触子２０の自由端２４に隣接して、接触子隆起部２１がある。自由端２４と接触子隆起部２１との間には張出部２２がある。
【００３４】
図２に、図１による接触装置の前面図および側面図が、斜め後ろから示されている。
【００３５】
ここでは、接触子隆起部２１の接触子隆起部中心２３が、摺動平面をなしていることが明瞭に分かる。
【００３６】
図２の上図には、カードデバイス４０が、読取り接触子２０の自由端２４の近くの摺動面２７の上に部分的に示されている。
【００３７】
図３には、本発明によるカード接触装置の動作原理が詳細に示されている。
【００３８】
ばねアーム２５を有するばね式の読取り接触子２０が例示的に図示されており、ばねアーム２５は、左側の領域で、読取り接触子２０の固定端２８から延出している。ばねアーム２５は、接触子隆起部２１まで延在し、接触子隆起部２１は、その最高点に位置された接触子隆起部中心２３を有する。
【００３９】
読取り接触子２０の接触子隆起部中心２３は、カードデバイスの底面のための平面、好ましくは摺動平面または案内平面をなしている。
【００４０】
本発明によれば、接触子隆起部２１に、張出部２２、すなわちばねアーム２５の延長アームが隣接し、それにより、自由端２４は、接触子隆起部中心２３から離れる。張出部２２の上面２６に、カードデバイス４０、特にカードデバイス４０の底面のための摺動面２７が設けられる。
【００４１】
自由端２４に、すなわち自由端２４の底面２９に傾斜部２９ａがあり、それでも、延長されたばねアームは、カードデバイス４０がカード接触装置１内に挿入されるとすぐに、十分に深く接触子支持体に入り込むことができる。
【００４２】
カードデバイス４０は、組み込まれたＭｉｎｉ  ＵＩＣＣカード４１のための間隙４２を備える。Ｍｉｎｉ  ＵＩＣＣカード４１の底面には、読取り接触子２０の接触子隆起部２１と接触するためのコンタクトパッド３０がある。
【００４３】
図３に示されるカードデバイス４０の位置は、説明のために、接触子支持体１０のカード載置平面１３に対して高く図示されていることに留意されたい。
【００４４】
ここで、間隙幅Ｓの間隙４２を有するカードデバイス４０が、カード接触装置１内に、すなわちカード載置平面１３の上に挿入される場合、カードデバイス４０は、その底面で摺動平面２７に沿って摺動し、接触子隆起部中心２３が間隙４２の範囲を通って移動する。あるいは、摺動平面がより下方に配置されているときには、カードデバイス４０は、接触子隆起部中心２３に沿って摺動する。
【００４５】
接触子隆起部中心２３と、それぞれに割り当てられた摺動面２７との間の距離が、カードデバイス４０の間隙幅Ｓよりも大きく選択されているので、接触子隆起部、すなわち接触子隆起部中心２３、または摺動面２７が、カードデバイス４０の間隙４２内への読取り接触子２０の自由端２８の嵌まり込みを妨げることが常に保証される。
【００４６】
特に有利な様式では、接触子隆起部中心２３と摺動面２７との間の距離は、挿入されるカードデバイス４０の間隙幅Ｓよりも最小限だけ大きく選択され、それにより、ばねアーム２５の最大のばね偏倚を実現することができ、ばねアーム２５が作動されるとすぐに自由端２４が回路基板に当接することはない。
【００４７】
図４に、カードデバイス４０が例示的に図示される。
【００４８】
カードデバイス４０内に、例示的なＭｉｎｉ  ＵＩＣＣカード４１が組み込まれている。Ｍｉｎｉ  ＵＩＣＣカード４１とそれを取り囲むカードデバイス４０との間に、Ｍｉｎｉ  ＵＩＣＣカード４１を部分的に取り巻く間隙４２がある。Ｍｉｎｉ  ＵＩＣＣカード４１の一辺の側縁部４３で、Ｍｉｎｉ  ＵＩＣＣカード４１は、カードデバイス４０と機械的に接続されている。
【符号の説明】
【００４９】
１  カード接触装置
１０  接触子支持体
１１  はんだ接続部
１２  接触子フレーム
１３  カード載置平面
２０  読取り接触子（ばね式）
２１  接触子隆起部
２２  張出部
２３  接触子隆起部中心
２４  自由端
２５  ばねアーム
２６  上面
２７  摺動面
２８  固定端
２９  底面
２９ａ  傾斜部
３０  コンタクトパッド
４０  カードデバイス
４１  Ｍｉｎｉ  ＵＩＣＣカード
４２  間隙
４３  カード縁部
【図１】
2014513363.tif 000003
【図２】
2014513363.tif 000004
【図３】
2014513363.tif 000005
【図４】
2014513363.tif 000006
【国際調査報告】
2014513363.tif 000007
2014513363.tif 000008
2014513363.tif 000009
2014513363.tif 000010